(57)【特許請求の範囲】
【請求項１】
所要の長さを有する両側一対のフレ−ム材１が平行配設され、該フレ−ム材１の両端部には各々エンドロ−ラ受５を介してエンドロ−ラ４が軸架されると共に、該エンドロ−ラ４間には無端駆動ベルト１１が巻掛けられてなるベルトコンベアにおいて、上記エンドロ−ラ４の軸６はその両端部上下面が各々フラット面状に切欠き形成されると共に、上記エンドロ−ラ受５の溝孔状軸架孔７に可動自在に遊挿せしめられており、上記各エンドロ−ラ受５の下端面には上記エンドロ−ラ４の軸６の外周位置に対応してネジ孔８が各々形成されると共に、該各ネジ孔８には先端に円錐状の係止部１０を有する調整ボルト９が螺合され、該係止部１０を上記エンドロ−ラ４の軸６の外周面に係止せしめつつ上記調整ボルト９の螺合量を変えることにより上記エンドロ−ラ４を可動して上記無端駆動ベルト１１の張力を調整せしめるべく構成されてなることを特徴とする、ベルトコンベア。
【発明の詳細な説明】
【０００１】
【産業上の利用分野】
この発明は、簡易形のベルトコンベアに関するもので、更に詳細には、無端駆動ベルトの張力を極めて簡便に調整することが出来るベルトコンベアに関する。
【０００２】
【従来の技術】
従来より、この種のベルトコンベアとしては、所要の長さを有する両側一対のフレ−ム材が平行配設され、該フレ−ム材の両端部には各々エンドロ−ラ受を介してエンドロ−ラが軸架されると共に、該エンドロ−ラ間には所要の無端駆動ベルトが巻掛けられてなるものが知られている。そして、上記のエンドロ−ラは、図４に示すように、エンドロ−ラ５１の軸５２がアジャストメタル５３を介してエンドロ−ラ受５４に軸架されると共に、エンドロ−ラ受５４前面の挿通孔５５を通して調整ボルト５６がアジャストメタル５３のネジ孔５７に螺合せしめられているものである。
そして、上述の如く構成された従来のベルトコンベアは、調整ボルト５６をネジ孔５７にネジ込み、また、ネジ戻すことによりアジャストメタル５３と共にエンドロ−ラ５１をベルトコンベアの長手方向に沿って適宜可動せしめ、無端駆動ベルトの張力を常に適正に保持せしめるものとされている。
【０００３】
【発明が解決しようとする課題】
ところで、上述の如く構成された従来のベルトコンベアは、調整ボルト５６によりエンドロ−ラ５１を適宜可動せしめて無端駆動ベルトの張力を確実に調整せしめることが出来る反面、以下の欠点を有するものである。
まず第１に、調整ボルト５６はエンドロ−ラ受５４の前面に出張り状に突設せしめられているから、常に調整ボルト５６の操作用フリ−スペ−スを確保する必要があるのみならず、ベルトコンベアどうしを接続せしめるさいには接続の邪魔となりやすいものである。
第２に、調整ボルト５６はアジャストメタル５３を介して間接的にエンドロ−ラ５１を可動せしめるものとされているから、無端駆動ベルトの張力調整時には比較的多大の力が必要とされるものである。
第３に、エンドロ−ラ５１はアジャストメタル５３を介してエンドロ−ラ受５４に軸架されると共に、調整ボルト５６はエンドロ−ラ受５４前面よりアジャストメタル５３のネジ孔５７に螺合せしめられているから、ベルトコンベアの製作時における組立て作業が非常に面倒で手間がかかるものである。
【０００４】
この発明は、従来の問題点を一挙に解決しようとするもので、ベルトコンベアの製作時における組立て作業を非常に簡便に行うことが出来るのみならず、ベルトコンベア下方のスペ−スを有効に利用してエンドロ−ラを直接的に可動せしめ、調整ボルトの存在に伴う不都合を排除して無端駆動ベルトの張力を迅速、かつ、確実に、しかも容易に調整することが出来るベルトコンベアを提供するにある。
【０００５】
【課題を解決するための手段】
即ち、この発明は、所要の長さを有する両側一対のフレ−ム材１が平行配設され、該フレ−ム材１の両端部には各々エンドロ−ラ受５を介してエンドロ−ラ４が軸架されると共に、該エンドロ−ラ４間には無端駆動ベルト１１が巻掛けられてなるベルトコンベアにおいて、上記エンドロ−ラ４の軸６はその両端部上下面が各々フラット面状に切欠き形成されると共に、上記エンドロ−ラ受５の溝孔状軸架孔７に可動自在に遊挿せしめられており
、上記各エンドロ−ラ受５の下端面には上記エンドロ−ラ４の軸６の外周位置に対応してネジ孔８が各々形成されると共に、該各ネジ孔８には先端に円錐状の係止部１０を有する調整ボルト９が螺合され、該係止部１０を上記エンドロ−ラ４の軸６の外周面に係止せしめつつ上記調整ボルト９の螺合量を変えることにより上記エンドロ−ラ４を可動して上記無端駆動ベルト１１の張力を調整せしめるべく構成されてなることを要旨とするものである。
【０００６】
【作用】
円錐状係止部１０をエンドロ−ラ４の軸６外周面に係止せしめつつ、エンドロ−ラ受５の下方より調整ボルト９をネジ孔８にネジ込み、また、ネジ戻し作動せしめることにより直接的にエンドロ−ラ４を可動せしめ、調整ボルト９の存在に伴う不都合を生じることなく無端駆動ベルト１１の張力を常に迅速、かつ、確実に、しかも容易に調整することが出来る。
【０００７】
【実施例】
以下に、この発明を図面に示す一実施例について説明する。
１は所要の幅をもって平行配設された所要の長さを有する両側一対の型材製フレ−ム材
、２は該両側のフレ−ム材１間に架設されたプレ−ト製キャリヤテ−ブル、３は該キャリヤテ−ブル２の横継ぎ材、４はフレ−ム材１の両端部に略方形体状のエンドロ−ラ受５を介して軸架されたエンドロ−ラで、該エンドロ−ラ４の軸６はその両端部上下面が各々フラット面状に切欠き形成されると共に、エンドロ−ラ受５の溝孔状軸架孔７に可動自在に遊挿せしめられている。８はエンドロ−ラ４の軸６の外周位置に対応すべくエンドロ−ラ受５の基端側下端面より溝孔状軸架孔７に向けて連通状に形成されたネジ孔、９は該ネジ孔８に螺合された六角穴付き調整ボルト、１０は該調整ボルト９の先端に一体形成された円錐状の係止部で、該係止部１０は軸架孔７内の基端側に位置する軸６外周面に係止せしめるものとされている。１１は前記キャリヤテ−ブル２上を摺動して走行せしめるべく両端のエンドロ−ラ４間に巻掛けられた無端駆動ベルト、１２は該無端駆動ベルト１１の帰り側走行部位がガイドロ−ラ１３を介して巻掛けられてなる駆動ロ−ラ、１４は該駆動ロ−ラ１２を駆動せしめるモ−タ、１５は前記フレ−ム材１の両端部下面にブラケット１６を介して取付けられた高さ調整自在な脚体である。
【０００８】
上述の如く構成された実施例は、モ−タ１４の起動により駆動ロ−ラ１２を駆動せしめつつ、無端駆動ベルト１１をキャリヤテ−ブル２上面に沿って摺動走行せしめることにより所要の被搬送物を搬送せしめる。
【０００９】
そして、無端駆動ベルト１１の張力を調整せしめるさいには、図３に示すように、調整ボルト９を下方よりエンドロ−ラ受５のネジ孔８にネジ込み、また、ネジ戻し作動せしめるとよい。
即ち、例えば、無端駆動ベルト１１の張力を緊張せしめるさいには、調整ボルト９をネジ孔８にネジ込み、その円錐状係止部１０を回転せしめつつ軸架孔７内に進入せしめる。すると、エンドロ−ラ４の軸６は円錐状係止部１０の先部より基部へ向けてその係止部位が変移し、次第に軸架孔７に沿って外方へ可動して無端駆動ベルト１１を緊張せしめる。
逆に、無端駆動ベルト１１を弛緩せしめるさいには、調整ボルト９をネジ孔８よりネジ戻し、円錐状係止部１０を回転せしめつつ後退せしめる。すると、エンドロ−ラ４の軸６は円錐状係止部１０の基部より先部に向けてその係止部位が変移し、次第に軸架孔７に沿って内方へ可動して無端駆動ベルト１１を弛緩せしめるものである。
【００１０】
【発明の効果】
この発明は上述のように構成されているから、円錐状の係止部１０をエンドロ−ラ４の軸６外周面に係止せしめつつ、エンドロ−ラ受５の下方より調整ボルト９をネジ孔８にネジ込み、また、ネジ戻すという簡単な操作でもって、直接的にエンドロ−ラ４を可動せしめ、従来のように調整ボルト５６の存在に伴う不都合を生じることなく、無端駆動ベルト１１の張力を常に迅速、かつ、確実に、しかも容易に調整せしめることが出来るものである。また、調整ボルト９は、従来のようにアジャストメタル５３を介することなく、エンドロ−ラ受５のネジ孔８に螺合して直接エンドロ−ラ４の軸６に係止すべく構成されているから、ベルトコンベアの製作時における組立て作業を極めて容易に、しかも能率よく行うことが出来るものである。
【図面の簡単な説明】
【図１】  この発明の一実施例を示す側面からみた断面図である。
【図２】  同要部を示す分解斜視図である。
【図３】  調整ボルト９の作動状態を示す断面図である。
【図４】  従来のエンドロ−ラ５１の取付け状態を示す分解斜視図である。
【符号の説明】
１    フレ−ム材
４    エンドロ−ラ
５    エンドロ−ラ受
６    軸
７    軸架孔
８    ネジ孔
９    調整ボルト
１０  係止部
１１  無端駆動ベルト
【図１】
0003770331.tif 000002
【図２】
0003770331.tif 000003
【図３】
0003770331.tif 000004
【図４】
0003770331.tif 000005